(57)【要約】    【課題】      自己と相手との関係を探る端末にあって、興趣を得る機能を備えたこと。    【解決手段】  自己の端末ＩＤを送信し、また相手の端末ＩＤを受信する送受信部８と、自己の端末ＩＤと相手の端末ＩＤとを比較し判定するＩＤ判定部９と、このＩＤ判定部９による判定結果を受けて、専用のペアアプリケーションを動作させると共に送受信データ処理部・記憶部１０での送受信データの処理と記憶を要求するペアアプリ部６と、を有する。専用のペアアプリケーションは、ペア端末同士のつながりにより、ペア端末上でしか行うことができない機能を有するアプリケーションであり、分業ダウンロード、アンテナダイバーシチ受信、ＭＩＭＯ受信が挙げられる。  【選択図】      図１
2006148231.tif 000002
【特許請求の範囲】
【請求項１】
自己の端末ＩＤを送信する送信手段と、
相手の端末ＩＤを受信する受信手段と、
自己の端末ＩＤと相手の端末ＩＤとを比較し、両者がペアであるか否かを判定するＩＤ判定手段と、
前記ＩＤ判定手段による判定結果を受けて、専用のペアアプリケーションを動作させるペアアプリ手段と、
を有することを特徴とするペア認識型携帯端末。
【請求項２】
前記専用のペアアプリケーションは、前記ＩＤ判定手段によってペアであると判定された場合、ペア端末同士のつながりによりペア端末上で機能することを条件とすることを特徴とする請求項１に記載のペア認識型携帯端末。
【請求項３】
前記専用のペアアプリケーションは、自己の端末の受信手段に受信対象ファイルに関する情報を送信し、相手端末にダウンロードを委託するファイルを決定し、前記相手端末に委託対象ファイルに関する情報を送信することを特徴とする請求項２に記載のペア認識型携帯端末。
【請求項４】
前記専用のペアアプリケーションは、自己の端末の受信手段にアンテナダイバーシチ受信を行うように受信モードの制御を行い、相手端末のペアアプリ部にアンテナダイバーシチ受信を行う制御情報を転送することを特徴とする請求項２に記載のペア認識型携帯端末。
【請求項５】
前記専用のペアアプリケーションは、自己の端末の受信手段にＭＩＭＯ受信を行うように受信モードの制御を行い、相手端末のペアアプリ部にＭＩＭＯ受信を行う制御情報を転送することを特徴とする請求項２に記載のペア認識型携帯端末。
【請求項６】
前記ＩＤ判定手段によってペアであると判定されたペア端末同士のつながりは、無線接続、電気的接続、あるいは磁気的接続のいずれかであることを特徴とする請求項１から請求項５のいずれかに記載のペア認識型携帯端末。
【発明の詳細な説明】
【技術分野】
【０００１】
本発明は、交信相手のつながりを求めると共に、交信時の端末のアプリケーション機能を拡張したペア認識型携帯端末に関するものである。
【背景技術】
【０００２】
最近、人と人とのコミュニケーションを容易にとる方策として、携帯電話等の携帯端末を利用することが提案されている。提案されている技術として特許文献１には、所望する条件に合致する未知の人を探し出してコミュニケーションをとる携帯コミュニケーション装置が開示されている。特許文献１に開示の携帯コミュニケーション装置は、図９に示すように、端末１０１内には、入力Ｉ／Ｆ１０２から入力した条件データが記憶される条件データ記憶部１０３、この条件データ記憶部１０３の内容をアンテナ１０５より送信する送信部１０４、他の相手端末から条件データを受信する受信部１０６、受信された条件データと自己の条件データとを比較する条件判定部１０７、条件データが合致すると音や光を出力する出力Ｉ／Ｆ１０８を有する端末がある。ここで、条件データは、例えば「カラオケしよう」というような自己の意思表示、性別、年齢等のデータであり、相手端末からの条件データが合致することによりコミュニケーションの成立の表示を出力Ｉ／Ｆ１０８が行うものである。
【０００３】
また、別の技術として特許文献２には、登録しておいた情報をもとにＢｌｕｅｔｏｏｔｈ用無線を使用して自動的に相性診断を行い、相性が良い場合は自動的に電話番号を交換する相性診断機能付き携帯通信端末が開示されている。特許文献２に開示の相性診断機能付き携帯通信端末は、図１０に示すように、端末２０１内には、入力Ｉ／Ｆ２０２から入力した個人ＩＤ及び個人データが記憶される記憶部２０３、この記憶部２０３の内容をアンテナ２０５より送信する送信部２０４、他の相手端末から個人ＩＤ及び個人データを受信する受信部２０６、受信された個人データと自己の個人データとを比較し相性診断を行い、相性が良ければ電話番号を取得する相性診断・電話番号取得制御部２０７、相性が良ければ音、光、あるいは画像を出力する出力Ｉ／Ｆ２０８を有するものである。
【０００４】
更に、特許文献３には、特定の組み合わせ時のみペアであることを表示し、連帯感や親近感だけでなく意外性をも高めることができるペア認識型アクセサリが開示されている。特許文献３に開示のペア認識型アクセサリは、図１１に示すように、第１アクセサリ３０１に接触端子３０５ａ、ペア検出部３０３ａ及びペアの検出によって音や光を出す出力Ｉ／Ｆ３０４ａを備え、第２アクセサリ３０２に接触端子３０５ｂ、ペア検出部３０３ｂ、出力Ｉ／Ｆ３０４ｂを備え、接触端子の特定の組み合わせによってペアを成立させるため、第１アクセサリ３０１と第２アクセサリ３０２のうち一方を自己が他方を他の相手が所持するものである。
【特許文献１】特開２０００−６８８８７号公報
【特許文献２】特開２００２−３００２９６号公報
【特許文献３】実用新案登録第３０９６４９９号公報
【発明の開示】
【発明が解決しようとする課題】
【０００５】
しかしながら、上述した特許文献１及び特許文献２は、自己と相手とのコミュニケーションを成立させ、あるいは自己と相手との相性診断を行うのみであり、例えば自己と相手との関係が成立した結果、端末に更なるアプリケーション機能が加えられるような構造にはなっていない。したがって、端末に対する興趣を欠く場合がある。
【０００６】
また特許文献３にあっても、ペアであることが認識されるだけでは、アクセサリの興趣を欠く。
【０００７】
本発明はかかる点に鑑みてなされたものであり、自己と相手との関係を探る端末にあって、興趣を得る機能を備えたペア認識型携帯端末の提供を目的とする。
【課題を解決するための手段】
【０００８】
本発明のペア認識型携帯端末は、自己の端末ＩＤを送信する送信手段と、相手の端末ＩＤを受信する受信手段と、自己の端末ＩＤと相手の端末ＩＤとを比較し、両者がペアであるか否かを判定するＩＤ判定手段と、前記ＩＤ判定手段による判定結果を受けて、専用のペアアプリケーションを動作させるペアアプリ手段と、を有する構成を採る。
【発明の効果】
【０００９】
本発明によれば、人と人とのつながりのみならず、端末同士のつながりに基づいて、このつながっている端末上でしか行えないアプリケーションを実行させることが可能となり、自己と相手との関係を探る端末にあって興趣を得ることができる。
【発明を実施するための最良の形態】
【００１０】
以下、本発明の実施の形態について、図面を参照して詳細に説明する。
【００１１】
（実施の形態１）
図１は、本発明の実施の形態１に係るペア認識型携帯端末の構成を示すブロック図である。本発明は、図４に示すように端末のペアを一体として成立するものであるが、図１では、まず個々の端末について説明する。端末１には、入力Ｉ／Ｆ（キー入力）２、出力Ｉ／Ｆ（音、光、画面出力）３、アンテナ４を有する。
【００１２】
ここで、入力Ｉ／Ｆ２からは、初めてペアを設定する場合のペア端末の設定操作がペア端末設定部５に対して行われ、さらに、ペアアプリケーション（以下、「ペアアプリ」と称する）の操作がペアアプリ部６に対して行われる。また、出力Ｉ／Ｆ３は、ペアアプリ部６からの制御出力に従い、音、光、画面による表示制御が行われる。アンテナ４は、各端末固有のＩＤを送信し、また相手方端末から送信される端末ＩＤを受信し、更には、自己の送信データあるいは相手からの受信データの送受信を行う。また、端末ＩＤの送受信は、アンテナ４を介した無線での送受信に限らず、赤外線等を用いて、半径１ｍ以内といった近距離で送受信してもよい。
【００１３】
入力Ｉ／Ｆ２に接続されたペア端末設定部５は、前述のようにペア端末の設定が行われ、相手方からの端末ＩＤを受信し、受信した端末ＩＤをペア情報として設定・記憶する。端末ＩＤ記憶部７は自己の端末ＩＤを保持し、また送受信部８を介して自己の端末ＩＤをアンテナ４から相手端末に送信する。ＩＤ判定部９は、端末ＩＤ記憶部７から自己の端末ＩＤを取り込み、かつアンテナ４を介して送受信部８から相手端末ＩＤを取り込み、これらがペアであるか否かの判定を行う。ペアアプリ部６は、ＩＤ判定部９からの判定結果を受けて、相手端末がペアである場合に起動し、専用のペアアプリプログラムを動作させる。送受信データ処理部・記憶部１０は、ペアアプリ部６の要求に従ってデータの送受信処理を行い、場合によってはデータの記憶や転送を行う。よって、ペアアプリ部６は、ＩＤ判定部９からの相手端末のペア判定により、出力Ｉ／Ｆ３への表示制御を行い、ペアアプリプログラムを動作させ、送受信データの処理及び記憶を行うことになる。送受信部８は、送受信データ処理部・記憶部１０からの送信データを受け取り、受信データを送受信データ処理部・記憶部１０へ送る。なお、ここでは、送受信部８は自己の端末ＩＤの送信及び相手端末ＩＤの受信も行う。
【００１４】
図２は、ペアの開始からペア機器間でのデータの授受までのフロー図である。最初にステップ（以下、「ＳＴ」と省略する）２１では、入力Ｉ／Ｆ２によるペア端末設定とペアアプリ操作を行い、ＳＴ２２では、端末ＩＤ記憶部７から条件データを含む自己の端末ＩＤを出力し、ＩＤ判定部９が取り込む。次いで、ＳＴ２３では、相手方の端末から送信される端末ＩＤを受信し、ＳＴ２４では、ＩＤ判定部９がペアの可否を判定する。相手端末がペアである場合には、ＳＴ２５において、ＩＤ判定部９がペアアプリ部６を起動させ、出力Ｉ／Ｆ３が表示制御され、ペアアプリが動作し、送受信データの処理・記憶が行われる（ＳＴ２５）。
【００１５】
ここで、ペアアプリ部６でのペアアプリケーションについて述べる。ペアの成立によって自己と相手、すなわち人と人とのつながりが成立する。本実施の形態では、この人と人とのつながりのみならず、端末同士のつながりに基づいて、このつながっている端末上でしか行えない機能を有するアプリケーションを実行させるものである。この場合、ペアの条件データに合致して始めてペアとなることにより、限定された条件で動作するアプリケーションであるので、ユーザであるペアの利便性を向上させるようなアプリケーションが好ましい。例えば、互いの端末の電話帳などの情報を共有するとか、相手との通話を値下げするサービスを行うといったアプリケーションが挙げられる。
【００１６】
更に、ペアとなって端末を「つなげる」楽しさをもたらすアプリケーションであれば端末に対する親近感が生まれる。例えば、親子、兄弟姉妹、夫婦、恋人のように端末同士に関係を持たせる、ペア専用の画面表示又は音楽を流す、ほほえましい気分となるようなコミュニケーションを端末同士が始める、着信があったときハモって（協和して）合唱する、ペアとなった相手と時間の履歴が判明する、ペアとなっている間に花や動物が成長する、初対面の相手でも何らかのつながりを持たせる、言い換えればＩＤの解読方法にアルゴリズムをもたせる、等が挙げられる。
【００１７】
図３は、ペアアプリケーションの動作イメージを示す。図３Ａは、ペアアプリ部６のＩＤ解析部３１による解析結果、履歴確認部３２による履歴、会話用人工知能部３３での会話、そして花の成長管理部３４での花を表示する。また、図３Ｂは、端末Ａと端末Ｂとで共通の情報を得るもので、互いに電話帳を共有する場合に着信メロディのハモリを行うケースを表示する。
【００１８】
図４は、図１に示す端末が無線接続によってペアを形成する場合を示している。図４示す各端末はそれぞれ前述したペアの処理が行われる。
【００１９】
このように実施の形態１によれば、自己の端末ＩＤと相手の端末ＩＤとを比較し、予め設定されたペアであるか否かを判定し、ペアであると判定された場合、ペア端末が互いに無線通信によって接続し、ペア端末同士が接続して初めて実現可能なアプリケーションを実行することにより、ペア端末同士を接続させることの興趣を増大させることができ、また、利便性を向上させることができる。
【００２０】
（実施の形態２）
図５は、本発明の実施の形態２に係るペア認識型携帯端末の構成を示すブロック図である。この図５の例では、ペアの端末をコネクタやケーブルを用いて直接接続することにより親近感を増大させ、また２台の端末が協力してダウンロードを行い（分業ダウンロードを行い）スループットを２倍にしたものである。図５における各端末のブロック構成は、図１の場合と略同様である。ここでは、端末Ａが受信データ結合・記憶部１０Ａを備えるのに対し端末Ｂが受信データ転送部１０Ｂを備えている。
【００２１】
図５において、ペアアプリ部６は、受信した相手端末ＩＤがペアである場合に起動し、専用のアプリケーションプログラムを動作させる。この場合、専用のプログラムとしては、分業ダウンロード専用アプリケーションがあり、自己の端末Ａの送受信部８に対し、受信したい対象ファイルに関する情報を送信し、相手端末Ｂにダウンロードを委託するファイルを決定し、委託するファイルの情報を送信する。この場合、受信データ結合部・記憶部１０Ａは、相手端末Ｂに委託したファイルを受け取り、端末Ａにおいてダウンロードしたファイルと結合し、記憶する。
【００２２】
一方、受信データ転送部１０Ｂは、ダウンロードを委託されたファイルを委託元の端末に転送する。また、送受信部８は、ペアアプリ部６から指定されたファイルを受信し、受信データ結合部・記憶部１０Ａへ送る。
【００２３】
端末結合部５０は、端末間を物理的に結合し、端末ＩＤのやりとりやペアアプリ部６からの制御情報の転送、ダウンロード委託されたファイルの転送を行う線路である。
【００２４】
このように実施の形態２によれば、ペア端末同士が分業してダウンロードを行うことにより、スループットを向上させることができると共に、ダウンロードに要する端末当たりの処理負担を軽減することができる。
【００２５】
（実施の形態３）
図６は、本発明の実施の形態３に係るペア認識型携帯端末の構成を示すブロック図である。この図６の例では、ペアの端末をコネクタやケーブルを用いて直接接続することにより親近感を増大させ、また２本のアンテナでダイバーシチ受信を行い、受信性能を向上させている。図６における各端末のブロック構成は、図１の場合と略同様である。ここでは、端末Ａの受信部８Ａが、復調部６１ａ、軟判定値合成部６２、誤り訂正復号部６３を備え、端末Ｂの受信部８Ｂが、復調部６１ｂ、軟判定値転送部６４を備えている。
【００２６】
図６において、ペアアプリ部６は、受信した相手端末ＩＤがペアである場合に起動し、専用のアプリケーションプログラムを動作させる。この場合、専用のプログラムとしては、アンテナダイバーシチ専用の動作プログラムがあり、自己の端末Ａの受信部８Ａに対し、アンテナダイバーシチ受信を行うよう受信モードの制御を行う。また、相手端末Ｂのペアアプリ部６に対し、アンテナダイバーシチ受信を行う旨の制御情報を転送する。この場合、受信データ記憶部１０は、受信したデータを記憶し、ペアアプリ部６の制御に従って転送する。
【００２７】
受信部８Ａにおいて、復調部６１ａは、受信データの復調処理（直交検波、同期、チヤネル推定、チヤネル補償、軟判定算出）を行う。軟判定値合成部６２は、相手端末Ｂから転送される軟判定値と自己の端末Ａの復調部６１ａで算出した軟判定値とを合成する。これにより、受信品質や受信感度といった受信性能を向上させることができる。なお、アンテナダイバーシチ受信を行わない場合には、合成処理を行わず、自己の端末Ａで算出した軟判定値をそのまま誤り訂正復号部６３へ転送する。誤り訂正復号部６３は、軟判定結果から誤り訂正復号処理を行い、受信データを出力する。一方、受信部８Ｂにおいて、軟判定値転送部６４は、復調部６１ｂで算出された軟判定値を相手端末Ａの軟判定値合成部６２へ転送する。
【００２８】
端末結合部６０は、端末間を物理的に結合し、端末ＩＤのやりとりやペアアプリ部６からの制御情報の転送、軟判定結果の転送を行う線路である。
【００２９】
このように実施の形態３によれば、ペア端末同士が協働してアンテナダイバーシチ受信を行うことにより、受信性能を向上させることができる。
【００３０】
（実施の形態４）
図７は、本発明の実施の形態４に係るペア認識型携帯端末の構成を示すブロック図である。この図７の例では、ペアの端末をコネクタやケーブルを用いて直接接続することにより親近感を増大させ、また２本のアンテナでＭＩＭＯ（Multi Input Multi Output）受信を行い、スループットを向上させている。図６における各端末のブロック構成は、図１の場合と略同様である。ここでは、端末Ａの受信部８Ａが、復調部６１ａ、軟判定値合成部６２、送信シンボル推定部７１、誤り訂正復号部６３を備え、端末Ｂの受信部８Ｂが、復調部６１ｂ、軟判定値転送部６４を備えている。
【００３１】
図７において、ペアアプリ部６は、受信した相手端末ＩＤがペアである場合に起動し、専用のアプリケーションプログラムを動作させる。この場合、専用のプログラムとしては、ＭＩＭＯ受信専用の動作プログラムがあり、自己の端末Ａの受信部８Ａに対し、ＭＩＭＯ受信を行うよう受信モードの制御を行う。また、相手端末Ｂのペアアプリ部６に対し、ＭＩＭＯ受信を行う旨の制御情報を転送する。
【００３２】
受信部８Ａにおいて、復調部６１ａは、受信データの復調処理を行い、全てのシンボル候補について軟判定値を算出する。軟判定値合成部６２は、相手端末Ｂから転送される軟判定値（全ての候補分）と自己の端末Ａの復調部６１ａで算出した軟判定値（全ての候補分）とを合成する。なお、ＭＩＭＯ受信を行わない場合は、合成処理を行わず、自己の端末Ａで算出した軟判定値（全ての候補分）を送信シンボル推定部７１へ転送する。送信シンボル推定部７１は、全ての候補の軟判定値から最も確からしい候補を選択し、誤り訂正復号部６３へ転送する。誤り訂正復号部６３は、推定されたシンボル情報から誤り訂正復号処理を行い、受信データを出力する。一方、受信部８Ｂにおいて、軟判定値転送部６４は、復調部６１ｂで算出された軟判定値（全ての候補分）を相手端末Ａへ転送する。
【００３３】
端末結合部７２は、端末間を物理的に結合し、端末ＩＤのやりとりやペアアプリ部からの制御情報の転送、軟判定結果（全ての候補分）の転送を行う線路である。
【００３４】
このように実施の形態４によれば、ペア端末同士が協働してＭＩＭＯ受信を行うことにより、受信性能を向上させることができる。
【００３５】
（他の実施の形態）
図８は、本発明の他の実施の形態に係るペア認識型携帯端末の構成を示すブロック図である。この図８が示すように、端末がコイル８１を備え、コイル８１に電流を流すことにより磁石を生成し、さらに磁石の向きを電流の方向を変えることで制御し、ペアとなる端末間で磁石の結合反発により二つの端末の接続及び離間を行うようにする。
【産業上の利用可能性】
【００３６】
本発明にかかるペア認識型携帯端末は、端末自体に興趣をそそる工夫を備えたものとして好適である。
【図面の簡単な説明】
【００３７】
【図１】本発明の実施の形態１に係るペア認識型携帯端末の構成を示すブロック図
【図２】図１に示す端末のフロー図
【図３Ａ】ペアアプリケーションの動作イメージを示す図
【図３Ｂ】ペアアプリケーションの動作イメージを示す図
【図４】図１に示す端末が無線接続によってペアを形成する様子を示す図
【図５】本発明の実施の形態２に係るペア認識型携帯端末の構成を示すブロック図
【図６】本発明の実施の形態３に係るペア認識型携帯端末の構成を示すブロック図
【図７】本発明の実施の形態４に係るペア認識型携帯端末の構成を示すブロック図
【図８】本発明の他の実施の形態に係るペア認識型携帯端末の構成を示すブロック図
【図９】特許文献１に開示の携帯コミュニケーション装置の構成を示すブロック図
【図１０】特許文献２に開示の相性診断機能付き携帯通信端末の構成を示すブロック図
【図１１】特許文献３に開示のペア認識型アクセサリの構成を示すブロック図
【符号の説明】
【００３８】
１  端末
５  ペア端末設定部
６  ペアアプリ部
７  端末ＩＤ記憶部
８  送受信部
８Ａ、８Ｂ  受信部
９  ＩＤ判定部
１０  送信データ処理部・記憶部
１０Ａ  受信データ結合部・記憶部
１０Ｂ  受信データ転送部
５０、６０、７２  端末結合部
８１  コイル
【図１】
2006148231.tif 000003
【図２】
2006148231.tif 000004
【図３Ａ】
2006148231.tif 000005
【図３Ｂ】
2006148231.tif 000006
【図４】
2006148231.tif 000007
【図５】
2006148231.tif 000008
【図６】
2006148231.tif 000009
【図７】
2006148231.tif 000010
【図８】
2006148231.tif 000011
【図９】
2006148231.tif 000012
【図１０】
2006148231.tif 000013
【図１１】
2006148231.tif 000014